(57)【特許請求の範囲】
【請求項１】
保管物を収納し得るとともに開口を有する収納室と、
前記収納室内で空気を循環させるファンと、
前記ファンの近傍に配置され、前記ファンから送風された空気をろ過して清浄風とするフィルターと、
前記収納室に前記清浄風を供給する流路と、
前記開口を開放、閉塞し得るドアと、
前記収納室内で、保管物を支持する棚板と、
を有し、
前記ドアには、前記保管物を清浄保管した空気を、前記ファンの吸込側に送る流路が形成され、
前記清浄風は前記棚板と平行な方向に流れつつ、循環する、
保管庫。
【請求項２】
前記ファンおよびフィルターは、前記収納室の上部に配置されていることを特徴とする請求項１に記載の保管庫。
【請求項３】
前記ファンおよびフィルターは、前記収納室の下部に配置されていることを特徴とする請求項１または２に記載の保管庫。
【請求項４】
前記清浄風は、前記保管物の風上に、前記清浄風をイオン化する除電器が配置されていることを特徴とする請求項１乃至３のいずれか１項に記載の保管庫。
【請求項５】
前記ファンの吸込側または前記収納室下流のドアに、外気を取入れる外気取入口が設けられていることを特徴とする請求項１乃至４のいずれか１項に記載の保管庫。
【請求項６】
無線接地装置をさらに有することを特徴とする請求項１乃至５のいずれか１項に記載の保管庫。
【請求項７】
車輪をさらに備え、前記保管物を走行搬送し得るように構成されたことを特徴とする請求項１乃至６のいずれか１項に記載の保管庫。
【請求項８】
持ち手をさらに備え、手提げ搬送できるように構成されたことを特徴とする請求項１乃至７のいずれか１項に記載の保管庫。
【発明の詳細な説明】
【技術分野】
【０００１】
本発明は、工場等で保管物を清浄性を維持しつつ保管および／または搬送する保管庫に関する。
【背景技術】
【０００２】
図１８、図１９に示すように、従来のこの種の保管庫２０００は、屋根部２００２にファン２００４とフィルター２００６を有し、外気Ａをろ過した清浄風ＣＡを下方の収納室２００８に送っている。収納室２００８は保管物Ｗを多段で収納し得るように、複数の水平な棚板２０１０で仕切られている。
各段の棚板２０１０には、多数の貫通孔２０１２が穿設され、保管物Ｗの浄化に使用した清浄風ＣＡをさらに下段に送っている。上段で保管物Ｗや棚板２０１０から発塵された埃等の異物Ｄは下段に流れて、保管物Ｗに付着する。
従って、図２１に示すように、下の段ほど、異物付着現象が多く起き、保管物Ｗの清浄度が下がる。
【０００３】
また、図２０に示すように、保管物Ｗを出し入れするために、開口２０１４に設けられたドア２０１６を開いたときに、最上位段は兎も角、清浄風ＣＡの静圧が低い下段には外気が侵入し、保管物Ｗが汚れてしまう。
そして、図２１に示すように、使用済みの清浄風ＣＡは、収納室２００８の最下段から床に向かって排気しているため、床に鎮まっているホコリを舞い上げて工場内を汚染する。これは、屋根部２００２のフィルター２００６の目詰まりを誘発し、フィルター２００６のメンテナンスが大変になる。
【０００４】
図２２、図２３に示すように、収納室２００８における最上段の天井部２０１８に除電器２０２０が装着された場合、イオンＰＮが棚板２０１０に吸収されてしまい、貫通孔２０１２を通過できないため、２段目以降では静電気除去ができない。
【０００５】
図２４、図２５に示すように、収納室２００８の開口２０１４から離間した奥の側壁２０２２に除電器２０２０が装着されている場合、フィルター２００６から出てくる下向きの清浄風ＣＡにより、除電器２０２０から発生したイオンＰＮは、下向に流され、開口２０１４近傍の保管物Ｗの静電気を除去することができない。
【０００６】
図２６に示すように、屋根部２００２にフィルター２００６を設置してあるため、フィルター２００６のメンテナンスに際して、フィルター２００６から落ちた異物Ｄが収納室２００８内に侵入し、収納室２００８を汚染する可能性がある。
【０００７】
図２７に示すように、保管物Ｗを収納室２００８内に収納した状態で、保管庫２０００を移動する場合、通常は保管庫２０００を接地（アース）することはできないが、保管庫２０００の移動のための車輪２０２４と床２０２６との摩擦により静電気が発生し、この静電気が保管庫に溜まってしまう。図２８は、保管庫２０００に蓄積される静電気が時間的に増大する特性を示す。
【０００８】
このように従来の保管庫は、多くの基本的な問題があり、従来はこれを解決する手段がなかった。
【発明の概要】
【発明が解決しようとする課題】
【０００９】
このため、従来は保管物を保管庫に入れておいても、異物の付着を完全に防止できるものではなく、ほとんど気休めと考えられていた。
【００１０】
本発明は、保管中の保管物を清浄化することを目的とする。
【課題を解決するための手段】
【００１１】
本発明に係る請求項１記載の保管庫は、保管物を収納する収納室と、空気を循環させるファンと、ファンから送風された空気をろ過して清浄風とするフィルターとを設けて、収納室内に送った清浄風によって、保管物を清浄環境で、保管し、さらに収納室に開口を設けて保管物の出し入れを可能とするとともに、この開口を開放、閉塞し得るドアとを設け、前記ドアには、前記保管物を清浄保管した空気を、前記ファンの吸込側に送る流路を形成し、外部からの異物の侵入を防止し得る。そして、清浄風を、保管物Ｗに対して、棚板に添った略水平方向に流しつつ循環させることにより、上部の保管物の異物が、下部の保管物に付着することを防止できる。
【００１２】
本発明に係る請求項２記載の保管庫は、ファンおよびフィルターを、収納室の上部に配置し、ファンおよびフィルターの組み立て、メンテナンスが容易である。
【００１３】
本発明に係る請求項３記載の保管庫は、ファンおよびフィルターを、収納室の下部に配置している。これによって、保管庫の重心を低下して、安定度を高め、フィルターメンテナンス時に、異物の収納室内への侵入を最小限に抑え得る。さらに、保管物の取り扱い位置が高くなり、作業性が向上する。
【００１４】
本発明に係る請求項４記載の保管庫は、保管物の風上に配置したイオナイザ（除電器）によって清浄風をイオン化するので、清浄風による防塵効果を高めることができる。
【００１５】
本発明に係る請求項５記載の保管庫は、ファンの吸込側に、外気取入口から外気を取り入れる。これによって、保管庫の内圧を高めることができ、外気取入口以外の場所からの不測の外気流入を防止できる。収納室内を清浄に保ち得る。
【００１６】
本発明に係る請求項６記載の保管庫は、無線接地装置をさらに有するので、保管庫への静電気蓄積を防止し得る。
【００１７】
本発明に係る請求項７記載の保管庫は、車輪をさらに備え、前記保管物を走行搬送し得るので、保管状態のままで保管物を容易に走行搬送し得る。
【００１８】
本発明に係る請求項８記載の保管庫は、持ち手をさらに備え、手提げ搬送できるように構成されているので、保管状態のままで保管物を容易に手持ち搬送し得る。
【発明の効果】
【００１９】
本発明によれば、保管中の保管物を清浄化し得る。
【図面の簡単な説明】
【００２０】
【図１】本発明に係る保管庫の実施例１を示す正面図である。
【図２】図１のＩＩ−ＩＩ矢視線に添う断面図である。
【図３】実施例１のドアを開いた状態を示す縦断面図である。
【図４】実施例１の、ファンの上流空間に外気取入口を設けた場合の、保管庫各部における、大気圧に対する相対気圧を示す図である。
【図５】本発明に係る保管庫の実施例２を示す縦断面図である。
【図６】実施例２の、収納室下流のドアに外気取入口を設けた場合の、保管庫各部における、大気圧に対する相対気圧を示す図である。
【図７】本発明に係る保管庫の実施例３を示す正面図である。
【図８】図７のＶＩＩＩ−ＶＩＩＩ矢視線に添う断面図である。
【図９】本発明に係る保管庫の実施例４を示す縦断面図であり、手持ち搬送状態を示す。
【図１０】本発明に係る保管庫の実施例５の保管物受け渡し状態を説明するための図である。
【図１１】図１２のＸＩ−ＸＩ矢視線に添う縦断面図である。（図面も修正しました。）
【図１２】実施例５の正面図である。
【図１３】本発明に係る保管庫の実施例６の保管物受け渡し状態を説明するための図である。
【図１４】本発明に係る保管庫の実施例７の保管物受け渡し状態を説明するための図である。
【図１５】無線接地装置の使用状態を示す、自動車の正面図である。
【図１６】無線接地装置の構成を示す回路図である。
【図１７】自動車の静電気蓄積特性を示すグラフである。
【図１８】第１の従来例を示す部分破断正面図である。
【図１９】図１８の部分破断右側面図である。
【図２０】第１の従来例でドアをあけた状態を示す部分破断右側面図である。
【図２１】第１の従来例の異物の舞い上げ状態を示す部分断面図である。
【図２２】第２の従来例を示す縦断面図である。
【図２３】図２２の部分破断右側面図である。
【図２４】第３の従来例を示す正面図である。
【図２５】図２４のＸＸＶ−ＸＸＶ矢視線に沿う断面である。
【図２６】フィルターのメンテナンス状態を示す図である。
【図２７】保管庫の帯電状況を示す図である。
【図２８】保管庫の静電気蓄積特性を示すグラフである。
【発明を実施するための形態】
【００２１】
次に、本発明に係る保管庫の好適な実施例を図面に基づいて説明する。
【実施例１】
【００２２】
図１、図２に示すように、保管庫１０００は、一側面が開口１０１４とされた直方体状の収納室１００８を備え、収納室１００８の内部は水平な棚板１０１０によって多段の棚室１０４８に仕切られ、上部には、ファン１００４および上流フィルター１００６、フィルター１００７が配置されている。
収納室１００８には、開き戸型のドア１０１６が取り付けられ、開口１０１４を開放、閉塞し得る。
【００２３】
収納室１００８の上部には水平な支持プレート（仕切板）１０４０が取り付けられ、ファン１００４は支持プレート１０４０上に取り付け固定されている。上流フィルター１００６はファン１００４の上流側に配置され、フィルター１００７はファン１００４の下流側に配置されており、ファン１００４によって送風される空気をろ過して清浄風ＣＡとする。なお、上流フィルター１００６を省略し、フィルター１００７のみによって空気をろ過することも可能である。仕切板１０４０上側の空間における、ファン１００４の上流側の空間をファン上流空間１０４９とする。
【００２４】
各棚室１０４８の上流側には側壁に添った側壁流路１０４４が形成され、下流側には側壁に添った側壁流路１０５０が形成されており、ファン１００４は、流路１０４４上端の流路入口１０４６から流路１０４４に空気を流入させ、この空気を流路１０４４から各棚室１０４８を経て、流路１０５０内を上昇させて、ファン上流空間１０４９に戻す。
なお、棚室１０４８は少なくとも１個設けられ、流路１０４４と流路１０５０の間に、一定長方形断面の流路を形成する。
【００２５】
フィルター１００７によってろ過された清浄風ＣＡは、流路入口１０４６を流下しつつ、各棚板１０１０上の棚室１０４８に流入し、開口１０１４方向に流れつつ、棚板１０１０上に収納された保管物Ｗを清浄に保つ。
また、各棚室１０４８と流路１０４４の間に、多数の穴が開けられた穴開き板１０２０が設置されていた方が望ましい。これによって、各棚室１０４８に流入する空気の流量が均一化される。
【００２６】
各棚室１０４８の上流には、除電器１０３０が配置され、棚室１０４８に流入する清浄風ＣＡをイオン化する。イオン化された清浄風ＣＡは、棚室１０４８内に収納された保管物Ｗに蓄積された静電気を除去する。
【００２７】
清浄風ＣＡは棚室１０４８を通過した後に開口１０１４に至り、ドア１０１６内の流路１０５０を上昇して、支持プレート１０４０上のファン上流空間１０４９に流入する。すなわち、ファン１００４は、流路入口１０４６、流路１０４４、棚室１０４８、流路１０５０を順次通過して、ファン１００４に戻るように、空気を循環させ、保管物Ｗの保管中に汚染される空気を繰り返し浄化して、空気を清浄に保つ。
ドア１０１６は、開口１０１４側が、多数の穴が開けられた穴開き板１０２０で構成された空洞状であり、この空洞内が流路１０５０になっている。この穴開き板１０２０の穴は、ファン上流空間１０４９に接する位置で大径とされ、ファン上流空間１０４９に流入する直前の最低圧の位置で圧力損失が抑えられている。これによって、清浄風ＣＡの循環は円滑となる。
支持プレート１０４０は、棚室１０４８と、上部のファン上流空間１０４９、ファン１００４、フィルター１００６、１００７とを仕切り、清浄風ＣＡを、流路入口１０４６、流路１０４４、棚室１０４８を順次経て、円滑に流路１０５０に案内する仕切板として機能する。
【００２８】
収納室１００８の屋根部１００２には外気Ａに開放された外気取入口１０２８が設けられる。外気Ａは１００２の外気取入口１０２８からファン上流空間１０４９に入る。
従って、図４に示すように、ファン上流空間１０４９は、大気圧に等しい気圧になる。
屋根部１００２に外気取入口１０２８を設けた場合、ファン１００４の下流から流路入口１０４６、流路１０４４、棚室１０４８、流路１０５０の気圧は、大気圧に対して陽圧になるため外気Ａが侵入することはない。
【００２９】
保管物Ｗの出し入れに際しては、ドア１０１６を開閉することになるが、棚室１０４８内では、常に、背面１０４２から開口１０１４に向かって清浄風ＣＡが流れているので、ドア１０１６開放時に、開口１０１４から棚室１０４８に外気Ａが流入することはない。従って、ドア１０１６開放時にも、保管物Ｗは不浄な外気Ａに触れることが無く、清浄度が維持される。
【００３０】
さらに、収納室１００８には、保管庫１０００を走行搬送するための車輪１０２４が設けられ、床１０２６上を円滑に移動し得る。
【００３１】
以上のとおり、実施例１は、収納室１００８の上段から下段までの全ての棚室１０４８で、静電気を除去しつつ、異物付着を防止でき、ドア１０１６を開いた時も異物が収納室１００８内部に侵入するのを防ぐ。
収納室１００８内の空気は、大部分、内部を循環し続けるので、フィルター１００６、１００７が不浄な外気をろ過する頻度は低く、フィルター１００６、１００７は、ほとんどメンテナンスが必要ない。また、ドア１０１６開放時でも、収納室１００８から床部に向かって空気を排出しないので、例えば工場では、床に鎮まっているホコリを舞い上げないため、工場環境を汚染しない。
なお、実施例１では収納室１００８に多段の棚室１０４８を設けたが、棚室１０４８は一段であってもよい。
【実施例２】
【００３２】
次に、本発明に係る保管庫の実施例２を図５に基づいて説明する。なお、図中、実施例１と同一もしくは相当部分には同一符号を付し、説明を省略する。
実施例２は、実施例１において屋根部１００２に設けた外気取入口１０２８に替えて、ドア１０１６に外気取入口１０２８を設けたものである。
【００３３】
図５に示すように、保管庫１０００のドア１０１６の下部に外気取入口１０２８が設けられている。
実施例２は、図６にしめすように、ドア１０１６内の流路１０５０が大気圧になる。
そして、ファン１００４の下流から流路入口１０４６、流路１０４４、棚室１０４８の気圧は、大気圧に対して陽圧になるため、外気Ａが侵入することはない。
実施例２は実施例１と同様の効果を奏する。
【実施例３】
【００３４】
次に、本発明に係る保管庫の実施例３を図７、図８に基づいて説明する。なお、図中、実施例１と同一もしくは相当部分には同一符号を付し、説明を省略する。
実施例３は、実施例１におけるファン１００４およびフィルター１００６、１００７を収納室１００８の下部に設置し、さらに無線接地装置１０３２を設置したものである。
【００３５】
図７、図８に示すように、保管庫１０００は、収納室１００８の下部において、収納室１００８の底面に、ファン１００４およびフィルター１００６、１００７が設置され、空間１０４９、１０４８の間に仕切板１０４０が設けられている。
これによって、清浄風ＣＡは流路１０４４内を上昇して上段の棚室１０４８に流入し、流路１０５０を流下して、ファン上流空間１０４９に戻ることになる。
【００３６】
ファン１００４およびフィルター１００６、１００７を保管庫１０００の下部に配置したことにより、フィルター１００６、１００７のメンテナンス時に、フィルター１００６、１００７に付着した異物が収納室１００８内に上昇、侵入する可能性は低い。
また、保管庫１０００の重心を低下させ、安定度を高めることができ、移動中も転倒事故などを防げる。さらに、保管物Ｗの取り扱い位置が高くなり、作業者の目や手が高い位置で作業可能となるため、作業性が向上する。
【００３７】
さらに、実施例３では、流路１０４４の下方に、無線接地装置１０３２が設置され、保管庫１０００自体に蓄積した静電気をイオンＰＮとして排出し得る。
図１６に示すように、無線接地装置１０３２は、昇圧整流器１０７６と、降圧整流器１０７８を備え、これらを直列に接続し、その接続点に帯電物体（例えば、図１５の自動車Ｍの車体）を接続し、整流器１０７６のアノード、整流器１０７８のカソードに放電電極１０６６、１０６８をそれぞれ接続したものである。
整流器１０７６、１０７８は、保管庫１０００の電圧を昇圧し、それぞれ、放電電極１０６６、１０６８に送給し、放電電極１０６６、１０６８でコロナ放電によって、陽イオン、陰イオンを放出する。これによって、保管庫１０００の静電気が除去される。
整流器１０７６、１０７８、放電電極１０６６、１０６８は絶縁ケース１０７０内に収納され、放電電極１０６６、１０６８は、絶縁ケース１０７０に形成された開口１０７２、１０７４から外部に向かってイオンＰＮを放出する。
【００３８】
図１７は、図１５の自動車車体の帯電状態と、無線接地装置１０３２からの発生（放出）イオン量の関係を示すグラフであり、プラス側に強く帯電するほど陽イオンの放出量が増加し、マイナス側に強く帯電するほど、陰イオンの放出量が増加することが分かる。
【００３９】
無線接地装置１０３２を設置したことにより、保管庫１０００を接地できない移動時等においても、保管庫１０００の帯電を防止し得る。この場合、無線接地装置１０３２は電池（図示せず。）で駆動する。
なお、実施例３では、実施例１の除電器１０３０は省略されているが、除電器１０３０を取り付けてもよい。
【実施例４】
【００４０】
次に、本発明に係る保管庫の実施例４を図９に基づいて説明する。なお、図中、実施例１〜３と同一もしくは相当部分には同一符号を付し、説明を省略する。
実施例３は、実施例２を手持ち搬送容易な構成としたものである。
【００４１】
図９に示すように、実施例３と同様の構造の保管庫１０００において、屋根部１００２に持ち手１０３４が設けられ、さらに、収納室１００８下部に、ファン１００４、フィルター１００６、１００７、外気取入口１０２８の他に、無線接地装置１０３２に給電するための電池１０５２が設けられている。
これによって、保管庫１０００は手持ち搬送が容易となり、また搬送時にも無線接地装置１０３２を稼働し続けることができる。
なお、実施例１〜３同様、除電器（図示せず。）を用いてもよい。
【実施例５】
【００４２】
次に、本発明に係る保管庫の実施例５を図１０に基づいて説明する。なお、図中、実施例１〜４と同一もしくは相当部分には同一符号を付し、説明を省略する。
実施例５は、実施例１におけるドア１０１６に替えて、棚室１０４８における清浄風ＣＡの流れの方向に対して直角方向の、収納室１００８両側面に、上下スライド式のドア１０３６、１０３８を設けたものである。
【００４３】
図１１、図１２で図１０の保管庫１０００を詳しく説明する。保管庫１０００は、上部にファン１００４、フィルター１００６、１００７が配置され、清浄風ＣＡが背面の流路１０４４を流下して、各棚室１０４８を水平に流れ、保管物Ｗを清浄に保管した後、流路１０５０を上昇してファン上流空間１０４９に戻る。
実施例５では、棚室１０４８の清浄風ＣＡ流れ方向に対して直角方向の側面１０５４、１０５６に、上下方向スライド式のドア１０３６、１０３８を設けている。
【００４４】
図１０に示すように、前工程のクリーンルームＣＲ１から保管物Ｗを受け取り、次工程のクリーンルームＣＲ２まで搬送し、クリーンルームＣＲ２に保管物Ｗを搬入する場合、まず、保管庫１０００の一方の側面１０５４をクリーンルームＣＲ１の出入口１０５８に密着させつつ、ドア１０３６を上方に引き上げる。この状態で、保管物Ｗを保管庫１０００に搬入すれば、保管物Ｗは外気に触れることがない。
保管物Ｗの搬入後には、ドア１０３６を閉じ、保管庫１０００をクリーンルームＣＲ２まで搬送して、側面１０５６を出入口１０６０に密着させる。ここで、ドア１０３８を上方に引き上げ、保管物ＷをクリーンルームＣＲ２に搬入する。
このように、側面１０５４、１０５６を出入口１０５８、１０６０に密着させて、スライド式のドア１０３６、１０３８を開閉すれば、不浄な外気に触れることなく、保管物Ｗの保管、搬送、受け渡しができる。
【００４５】
また、ドア１０３６、１０３８を対向側面１０５４、１０５６に設けているので、出入口１０５８、１０６０の方向が多様に変化した場合にも、最小限の方向転換で、効率的に受け渡し作業を行い得る。
また、棚室１０４８における清浄風ＣＡの流れの方向に対して直角方向の、収納室１００８両側面に、ドア１０３６、１０３８を設けたので、収納室１００８には、外気が侵入する方向の流れは存在せず、出入口に密着せずに、外気中で保管物Ｗの出入れを行う場合にも、外気の侵入を最小限に抑え得る。
【実施例６】
【００４６】
次に、本発明に係る保管庫の実施例６を図１３に基づいて説明する。なお、図中、実施例１〜５と同一もしくは相当部分には同一符号を付し、説明を省略する。
実施例６は、実施例５における両側面１０５４、１０５６の上下スライド式のドア１０３６、１０３８のうち、一方を廃止したものである。
【００４７】
図１３に示すように、保管庫１０００は、棚室１０４８における清浄風ＣＡの流れの方向に対して直角方向の、収納室１００８の一側面１０５４に、上下スライド式のドア１０３６を設けたものである。
実施例５と同様に、側面１０５４をクリーンルームＣＲ１の出入口１０５８に密着させつつ、ドア１０３６を上方に引き上げ、保管物Ｗを保管庫１０００に搬入した後、１０３６を閉じ、側面１０５４がクリーンルームＣＲ２の出入口１０６０に密着できるように、適宜保管庫１０００を方向転換し、側面１０５４を出入口１０６０に密着させて、保管物ＷをクリーンルームＣＲ２に搬入する。
【００４８】
実施例６は、ドア１０３６を１個に減少させたので、実施例４よりも清浄度を向上し、軽量化、コスト削減が可能である。
【実施例７】
【００４９】
次に、本発明に係る保管庫の実施例７を図１４に基づいて説明する。なお、図中、実施例１〜６と同一もしくは相当部分には同一符号を付し、説明を省略する。
実施例７は、実施例１における開き戸型のドア１０１６に替えて、上下方向スライド型の中空のドア１０６２を採用したものである。
【００５０】
ドア１０６２には、実施例１のドア１０１６と同様の流路１０５０が形成され、開口１０１４の閉塞時には、清浄風ＣＡをファン上流空間１０４９に戻すことができる。
【００５１】
実施例７は、実施例１の効果に加え、開口１０１４をクリーンルームＣＲ１、ＣＲ２の出入口１０５８、１０６０等、保管物搬入搬出口に略密着させつつ、ドア１０６２を上方に引き上げるので、不浄な外気に触れることなく、保管物を受渡しできるという、実施例６と同様の効果が得られる。
【００５２】
実施例７は、実施例２と同様に、ドア１０６２の下部に外気取入口１０２８が設けられ、ドア１０６２内の流路１０５０は大気圧とされ、かつ、ファン１００４の下流から流路入口１０４６、流路１０４４、棚室１０４８の気圧は、大気圧に対して陽圧になるため、外気Ａが侵入することはない。
外気取入口１０２８は開閉可能であり、開いたときには外方に突出するが、閉じたときには、ドア１０６２外面の面一になる。ドア１０６２を上方にスライドするときには、外気取入口１０２８を閉じることにより、ドア１０６２と面一にして、クリーンルームＣＲ１、ＣＲ２の外壁に添わせ、開口１０１４を出入口１０５８、１０６０に密着させることができる。
【００５３】
実施例４〜７において、ファン１００４やフィルター１００６、１００７を収納室１００８の上部に配置しているが、実施例３同様、下部に配置することによって、実施例４〜７同様の効果に加えて、安定性、作業性を高めることができる。
【００５４】
実施例１、２、５〜７には無線接地装置１０３２は設けられていないが、無線接地装置１０３２を設けることにより、保管庫１０００に蓄積した静電気を排出し得る。ここで周知の無線接地装置１０３２の構成を示すと、図１６に示すように、開口１０７２、１０７４を有する絶縁ケース１０７０内に、整流器１０７６、１０７８を収納するとともに、整流器１０７６、１０７８にそれぞれ接続された放電電極１０６６、１０６８を開口１０７２、１０７４にそれぞれ対向して配置し、開口１０７２、１０７４からイオンＰＮを放射するものである。そして、図１５に示すように、無線接地装置１０３２は自動車Ｍ等に設けられる。
【産業上の利用可能性】
【００５５】
本発明は、搬送されることない保管庫、あるいは搬送に使用される容器（保管庫）に適用し得ることはいうまでもない。
【符号の説明】
【００５６】
Ａ  外気
ＣＡ  清浄風
Ｄ  異物
ＰＮ  イオン
Ｗ  保管物
１０００  保管庫
１００２  屋根部
１００４  ファン
１００６  上流フィルター
１００７  下流フィルター
１００８  収納室
１０１０  棚板
１０１４  開口
１０１６、１０３６、１０３８、１０６２  ドア
１０２０  穴開き板
１０２４  車輪
１０２６  床
１０２８  外気取入口
１０３０  除電器
１０３２  無線接地装置
１０３４  持ち手
１０４０  支持プレート（仕切板）
１０４２  側面（背面）
１０４４  流路（側壁流路）
１０４６  流路入口
１０４８  棚室
１０４９  ファンの上流空間
１０５０  流路（側壁流路）
１０５２  電池
１０５４、１０５６  側面
１０５８、１０６０  出入口
１０６６、１０６８  放電電極
１０７０  絶縁ケース
１０７２、１０７４  開口
１０７６、１０７８  整流器
２０００  保管庫
２００２  屋根部
２００４  ファン
２００６  フィルター
２００８  収納室
２０１０  棚板
２０１２  貫通孔
２０１４  開口
２０１６  ドア
２０１８  天井部
２０２０  除電器
２０２４  車輪
２０２６  床
【図１】
0006523072.tif 000002
【図２】
0006523072.tif 000003
【図３】
0006523072.tif 000004
【図４】
0006523072.tif 000005
【図５】
0006523072.tif 000006
【図６】
0006523072.tif 000007
【図７】
0006523072.tif 000008
【図８】
0006523072.tif 000009
【図９】
0006523072.tif 000010
【図１０】
0006523072.tif 000011
【図１１】
0006523072.tif 000012
【図１２】
0006523072.tif 000013
【図１３】
0006523072.tif 000014
【図１４】
0006523072.tif 000015
【図１５】
0006523072.tif 000016
【図１６】
0006523072.tif 000017
【図１７】
0006523072.tif 000018
【図１８】
0006523072.tif 000019
【図１９】
0006523072.tif 000020
【図２０】
0006523072.tif 000021
【図２１】
0006523072.tif 000022
【図２２】
0006523072.tif 000023
【図２３】
0006523072.tif 000024
【図２４】
0006523072.tif 000025
【図２５】
0006523072.tif 000026
【図２６】
0006523072.tif 000027
【図２７】
0006523072.tif 000028
【図２８】
0006523072.tif 000029